(57)【要約】【課題】五徳上への調理容器の載置および非載置を精度よく検出することが可能な調理容器検知機構を備えた、加熱調理器用の温度検出装置を提供する。【解決手段】リードスイッチ６５を収容する収容容器４１が、（ａ）ガラス管２０の内部に一方側強磁性体リード２１および他方側強磁性体リード２２を配設したリードスイッチ本体Ａを収容することは可能であるが、ガラス管２０に沿って配設された他方側延長用リード線２４をリードスイッチ本体とともに収容することは不可能なリードスイッチ本体収容部４６と、（ｂ）ガラス管２０に沿って配設された他方側延長用リード線２４を収容することは可能であるが、リードスイッチ本体Ａを他方側延長用リード線２４とともに収容することは不可能な他方側延長用リード線収容部４７とを備えた構成とする。【選択図】図７
2019211110.tif 000002
【特許請求の範囲】
【請求項１】
加熱調理器に固定的に配設された筒状支持体であって、略垂直方向に延びる一方辺部と、前記一方辺部から続いて延びる他方辺部とを備えた筒状支持体と、
前記加熱調理器の載置部に載置される被加熱物の底部が当接し、前記被加熱物の上下動に伴って昇降し、かつ、上方に向かって復帰付勢された状態で、前記筒状支持体の前記一方辺部の上端部に支持された昇降体と、
前記被加熱物の底部の温度を検出する検出部と、前記検出部から引き出され、前記筒状支持体における前記他方辺部から外に延びる態様で前記筒状支持体内に配置された、前記検出部の検出情報を制御部に伝えるリード線とを備えた温度検出機構と、
前記筒状支持体の前記他方辺部の外周部に設けられ、磁界の印加により第１状態と第２状態とに切り換えられるリードスイッチと、前記他方辺部を介して前記リードスイッチと対向するように前記他方辺部の外周部に配設された磁石と、前記筒状支持体の前記他方辺部の内部に設けられ、前記リードスイッチに対して近接、離間することにより前記リードスイッチを前記第１状態と前記第２状態とに切り換える操作部とを備えた被加熱物検知機構と、
一端が前記昇降体に接続され、他端が前記他方辺部内に延びる態様で前記筒状支持体内に配設され、前記昇降体の昇降に伴って、前記筒状支持体の軸方向に沿って前記筒状支持体内を移動する伝達部材と、
を備え、
前記リードスイッチと前記磁石との間に位置することによって、前記リードスイッチに印加される前記磁石の磁界を遮蔽する磁気遮蔽体が、前記操作部として、前記伝達部材の所定の位置に配設され、
前記リードスイッチは、ガラス管内に一方側強磁性体リードと他方側強磁性体リードの２本の強磁性体リードが収容され、前記一方側強磁性体リードと前記他方側強磁性体リードのそれぞれの一方端部が前記ガラス管内において互いに対向するように位置し、前記一方側強磁性体リードと前記他方側強磁性体リードのそれぞれの他方端部が、前記ガラス管の両端部のうちの互いに異なる側の端部から前記ガラス管の外側に引き出された構造を有し、かつ、
前記リードスイッチは、収容容器に収容されているとともに、
前記ガラス管の一方端部から引き出された前記一方側強磁性体リードには、該一方側強磁性体リードの引出し方向に延びる一方側延長用リード線が接続され、前記ガラス管の他方端部から引き出された前記他方側強磁性体リードには、該他方側強磁性体リードの引出し方向とは逆の方向である前記一方側強磁性体リードの引出し方向に延びる他方側延長用リード線が接続されており、
前記一方側延長用リード線は前記収容容器の一端側から外部に引き出されているとともに、前記他方側延長用リード線が前記ガラス管に沿って配設され、前記一方側延長用リード線とともに、前記収容容器の一端側から外部に引き出されるように構成されており、
前記収容容器には、（ａ）前記ガラス管の内部に前記一方側強磁性体リードおよび前記他方側強磁性体リードを配設したリードスイッチ本体を収容することは可能であるが、前記ガラス管に沿って配設された前記他方側延長用リード線を前記リードスイッチ本体とともに収容することは不可能なリードスイッチ本体収容部と、（ｂ）前記ガラス管に沿って配設された前記他方側延長用リード線を収容することは可能であるが、前記リードスイッチ本体を前記他方側延長用リード線とともに収容することは不可能な他方側延長用リード線収容部とが併設されていること
を特徴とする加熱調理器用の温度検出装置。
【請求項２】
前記リードスイッチ本体収容部が、前記収容容器の一端側に、前記ガラス管の挿入口となる開放口を備えているとともに、
前記開放口から挿入された前記ガラス管の挿入深さを規制する規制壁を備えていることを特徴とする
請求項１記載の加熱調理器用の温度検出装置。
【請求項３】
前記規制壁が、前記他方側延長用リード線が通過可能なリード線通過孔を備えていることを特徴とする請求項２記載の加熱調理器用の温度検出装置。
【請求項４】
前記収容容器が、前記筒状支持体における前記他方辺部の外周部に沿う形態の取り付け面を備えていることを特徴とする請求項１〜３のいずれかに記載の加熱調理器用の温度検出装置。
【発明の詳細な説明】
【技術分野】
【０００１】
本発明は、温度検出装置に関し、詳しくは、ガスコンロなどの加熱調理器に載置された被加熱物（例えば鍋などの調理容器）の温度を検出するために用いられる、加熱調理器用の温度検出装置に関する。
【背景技術】
【０００２】
ガスコンロには、被加熱物（例えば鍋などの調理容器）の底面に接してその温度を検知する温度検出装置を備えたガスコンロがある。また、そのような温度検出装置には、被加熱物（例えば鍋などの調理容器）の加熱調理器への載置、非載置を検出するための調理容器検出機構（装置）を備えたものがある。
【０００３】
そして、特許文献１には、調理容器検知装置として、調理容器の温度を検出する温度検出部の昇降に伴って上下動するロッドとともに移動する磁性体の移動経路を挟む位置に、永久磁石とリードスイッチを設けた調理容器検知装置が記載されている。
【０００４】
この特許文献１の調理容器検知装置においては、磁性体が永久磁石とリードスイッチとの間に位置するときと、磁性体が永久磁石とリードスイッチとの間に位置しないときとで、リードスイッチの開閉状態が切り換わり、五徳上への調理容器の載置および非載置が検出される。
【０００５】
なお、特許文献１には、リードスイッチの詳細な構造は記載されていないが、リードスイッチは、円筒形の外形を有し、その一端側から２本のリード線が引き出され、制御部に接続されるものと考えられる。
【先行技術文献】
【特許文献】
【０００６】
【特許文献１】特開２０１４−１５２９３９号公報
【発明の概要】
【発明が解決しようとする課題】
【０００７】
ところで、特許文献１の調理容器検知装置に用いられるようなリードスイッチは、通常、本願の図１０に示すように、ガラス管２０内に２本の強磁性体リード、すなわち、一方側強磁性体リード２１と他方側強磁性体リード２２とが収容され、一方側強磁性体リード２１の一方端部２１ａと、他方側強磁性体リード２２の一方端部２２ａがガラス管２０内において互いに対向するように位置し、一方側強磁性体リード２１の他方端部２１ｂと他方側強磁性体リード２２の他方端部２２ｂが、ガラス管２０の両側の端部（一方端部２０ａ、他方端部２０ｂ）のうちの互いに異なる側の端部から、ガラス管２０の外側に引き出された構造を有している。なお、一方側強磁性体リード２１の一方端部２１ａには接点部材２５が配設され、他方側強磁性体リード２２の一方端部２２ａには接点部材２６が配設されている。
【０００８】
したがって、このリードスイッチ６５を収容容器に収容し、特許文献１の場合のように、一対のリード線を同一方向に引き出そうとすると、例えば、リードスイッチ６５を収容する収容容器のいずれか一方の端部から一方側強磁性体リード２１および他方側強磁性体リード２２の両方を引き出すことが必要となる。
【０００９】
そして、そのためには、ガラス管２０の一方端部２０ａから引き出された一方側強磁性体リード２１には、該一方側強磁性体リード２１の引出し方向に延びる一方側延長用リード線を接続し、ガラス管２０の他方端部２０ｂから引き出された他方側強磁性体リード２２には、該他方側強磁性体リード２２の引出し方向とは逆の方向である一方側強磁性体リード２１の引出し方向に延びる他方側延長用リード線を接続した構造とすることが必要になる。
【００１０】
すなわち、特許文献１の調理容器検知装置（温度検出装置）では、リードスイッチ６５は円筒形の容器に収容されており、この円筒形の容器内で、他方側延長用リード線が、リードスイッチ６５を構成するガラス管２０に沿って配設されているとともに、一方側延長用リード線とともに、リードスイッチ６５を収容する収容容器の一端側から、引き出されるように構成されているものと理解することが妥当である。
【００１１】
しかしながら、特許文献１の調理容器検知装置（温度検出装置）では、リードスイッチ６５を収容する円筒形の収容容器の内部において、他方側延長用リード線がガラス管２０に沿って配設される場合、他方側延長用リード線が、ガラス管２０に対して、永久磁石の配設されている側に位置するときと、このガラス管２０に沿って配設される他方側延長用リード線に対して、ガラス管２０が永久磁石の配設側に位置するときとで、リードスイッチ６５の開閉状態が切り換わる磁力に差が生じることになり、精度よく五徳上への調理容器の載置および非載置を検出することができないという問題点がある。
【００１２】
本発明は、上記課題を解決するものであり、五徳上への調理容器の載置および非載置を精度よく検出することが可能な調理容器検知機構を備えた、加熱調理器用の温度検出装置を提供することを目的とする。
【課題を解決するための手段】
【００１３】
上記課題を解決するために、本発明の加熱調理器用の温度検出装置は、
加熱調理器に固定的に配設された筒状支持体であって、略垂直方向に延びる一方辺部と、前記一方辺部から続いて延びる他方辺部とを備えた筒状支持体と、
前記加熱調理器の載置部に載置される被加熱物の底部が当接し、前記被加熱物の上下動に伴って昇降し、かつ、上方に向かって復帰付勢された状態で、前記筒状支持体の前記一方辺部の上端部に支持された昇降体と、
前記被加熱物の底部の温度を検出する検出部と、前記検出部から引き出され、前記筒状支持体における前記他方辺部から外に延びる態様で前記筒状支持体内に配置された、前記検出部の検出情報を制御部に伝えるリード線とを備えた温度検出機構と、
前記筒状支持体の前記他方辺部の外周部に設けられ、磁界の印加により第１状態と第２状態とに切り換えられるリードスイッチと、前記他方辺部を介して前記リードスイッチと対向するように前記他方辺部の外周部に配設された磁石と、前記筒状支持体の前記他方辺部の内部に設けられ、前記リードスイッチに対して近接、離間することにより前記リードスイッチを前記第１状態と前記第２状態とに切り換える操作部とを備えた被加熱物検知機構と、
一端が前記昇降体に接続され、他端が前記他方辺部内に延びる態様で前記筒状支持体内に配設され、前記昇降体の昇降に伴って、前記筒状支持体の軸方向に沿って前記筒状支持体内を移動する伝達部材と、
を備え、
前記リードスイッチと前記磁石との間に位置することによって、前記リードスイッチに印加される前記磁石の磁界を遮蔽する磁気遮蔽体が、前記操作部として、前記伝達部材の所定の位置に配設され、
前記リードスイッチは、ガラス管内に一方側強磁性体リードと他方側強磁性体リードの２本の強磁性体リードが収容され、前記一方側強磁性体リードと前記他方側強磁性体リードのそれぞれの一方端部が前記ガラス管内において互いに対向するように位置し、前記一方側強磁性体リードと前記他方側強磁性体リードのそれぞれの他方端部が、前記ガラス管の両端部のうちの互いに異なる側の端部から前記ガラス管の外側に引き出された構造を有し、かつ、
前記リードスイッチは、収容容器に収容されているとともに、
前記ガラス管の一方端部から引き出された前記一方側強磁性体リードには、該一方側強磁性体リードの引出し方向に延びる一方側延長用リード線が接続され、前記ガラス管の他方端部から引き出された前記他方側強磁性体リードには、該他方側強磁性体リードの引出し方向とは逆の方向である前記一方側強磁性体リードの引出し方向に延びる他方側延長用リード線が接続されており、
前記一方側延長用リード線は前記収容容器の一端側から外部に引き出されているとともに、前記他方側延長用リード線が前記ガラス管に沿って配設され、前記一方側延長用リード線とともに、前記収容容器の一端側から外部に引き出されるように構成されており、
前記収容容器には、（ａ）前記ガラス管の内部に前記一方側強磁性体リードおよび前記他方側強磁性体リードを配設したリードスイッチ本体を収容することは可能であるが、前記ガラス管に沿って配設された前記他方側延長用リード線を前記リードスイッチ本体とともに収容することは不可能なリードスイッチ本体収容部と、（ｂ）前記ガラス管に沿って配設された前記他方側延長用リード線を収容することは可能であるが、前記リードスイッチ本体を前記他方側延長用リード線とともに収容することは不可能な他方側延長用リード線収容部とが併設されていること
を特徴としている。
【００１４】
本発明の加熱調理器用の温度検出装置においては、
前記リードスイッチ本体収容部が、前記収容容器の一端側に、前記リードスイッチ本体を構成する前記ガラス管の挿入口となる開放口を備えているとともに、
前記開放口から挿入された前記ガラス管の挿入深さを規制する規制壁を備えていることが好ましい。
【００１５】
また、前記規制壁が、前記他方側延長用リード線が通過可能なリード線通過孔を備えていることが好ましい。
【００１６】
また、前記収容容器が、前記筒状支持体における前記他方辺部の外周部に沿う形態の取り付け面を備えていることが好ましい。
【発明の効果】
【００１７】
本発明の加熱調理器用の温度検出装置は上述のように構成されており、ガラス管内に一方側強磁性体リードと他方側強磁性体リードの２本の強磁性体リードが収容され、一方側強磁性体リードと他方側強磁性体リードのそれぞれの一方端部がガラス管内において互いに対向するように位置し、一方側強磁性体リードと他方側強磁性体リードのそれぞれの他方端部が、ガラス管の両端部のうちの互いに異なる側の端部からガラス管の外側に引出された構造を有するリードスイッチが収容容器に収容されているとともに、ガラス管の一方端部から引き出された一方側強磁性体リードには、該一方側強磁性体リードの引出し方向に延びる一方側延長用リード線が接続され、ガラス管の他方端部から引き出された他方側強磁性体リードには、該他方側強磁性体リードの引出し方向とは逆の方向である一方側強磁性体リードの引出し方向に延びる他方側延長用リード線が接続され、他方側延長用リード線が、ガラス管に沿って配設され、一方側延長用リード線とともに、収容容器の両端部のうちの一方端部側から引き出されるように構成され、かつ、収容容器には、（ａ）ガラス管の内部に一方側強磁性体リードおよび他方側強磁性体リードを配設したリードスイッチ本体を収容することは可能であるが、ガラス管に沿って配設された他方側延長用リード線をリードスイッチ本体とともに収容することは不可能なリードスイッチ本体収容部と、（ｂ）ガラス管に沿って配設された他方側延長用リード線を収容することは可能であるが、リードスイッチ本体を前記他方側延長用リード線とともに収容することは不可能な他方側延長用リード線収容部とが併設されているので、磁石とリードスイッチとの位置関係（距離）にバラツキが生じることを防止して、五徳上への調理容器の載置および非載置を精度よく検出することが可能な、加熱調理器用の温度検出装置を実現することができる。
【００１８】
また、リードスイッチ本体収容部が、収容容器の一端側に、ガラス管の挿入口となる開放口を備え、かつ、開放口から挿入されたガラス管の挿入深さを規制する規制壁を備えた構成とした場合、収容容器におけるガラス管の挿入深さが確実に規制されるので、磁石とガラス管（リードスイッチ）との位置関係（距離）がより精度よく維持される。その結果、五徳上への調理容器の載置および非載置をさらに精度よく検出することが可能になり、本発明をより実効あらしめることができる。
【００１９】
また、規制壁が、他方側延長用リード線が通過可能なリード線通過孔を備えた構成とした場合、規制壁とガラス管との間に、他方側延長用リード線が挟み込まれることが抑制され、五徳上への調理容器の載置および非載置の検出をより確実に行うことが可能になる。
【００２０】
また、収容容器が、筒状支持体における他方辺部の外周部に沿う形態の取り付け面を備えた構成とした場合、収容容器と筒状支持体における他方の辺部との位置関係が安定するので、五徳上への調理容器の載置および非載置の検出をより一層適切に行うことが可能になる。
【図面の簡単な説明】
【００２１】
【図１】本発明の一実施形態にかかる加熱調理器用の温度検出装置を備えるガスコンロの外観構成を示す斜視図である。
【図２】本発明の一実施形態にかかる加熱調理器用の温度検出装置の、昇降体が上限位置に位置する状態における要部構成を示す縦断面図である。
【図３】本発明の一実施形態にかかる加熱調理器用の温度検出装置の、昇降体が下降した状態における要部構成を示す縦断面図である。
【図４】本発明の一実施形態にかかる加熱調理器用の温度検出装置に用いられている磁気遮蔽体を示す図である。
【図５】本発明の一実施形態にかかる加熱調理器用の温度検出装置の要部構成（すなわち、筒状支持体の屈曲部の断面形状が扁平形状とされた構成）を模式的に示す図である。
【図６】筒状支持体の屈曲部の断面形状が扁平形状ではなく、円形状とされている、筒状支持体の屈曲部の断面形状を模式的に示す図である。
【図７】本発明の一実施形態にかかる加熱調理器用の温度検出装置が備える被加熱物検知機構を構成するリードスイッチ本体、リードスイッチ本体を収容する収容容器の構成を示す斜視図であって、リードスイッチ本体を収容容器に収容する前の状態を示す図である。
【図８】本発明の一実施形態にかかる加熱調理器用の温度検出装置における被加熱物検知機構を構成する収容容器を示す側面図（図２、図３において右方向から見た図）である。
【図９】図８におけるIX-IX線断面図である。
【図１０】一般的なリードスイッチの構成を示す図である。
【発明を実施するための形態】
【００２２】
以下、本発明の実施形態にかかるグリル付きコンロを示して、本発明の特徴とするところを詳しく説明する。
【００２３】
＜基本構成＞
本発明の実施形態にかかるグリル付きコンロ（加熱調理器）１００は、図１に示すように、ケース本体（コンロ本体）１０１と、ケース本体１０１に配設された温度センサ付きの標準火力コンロバーナ３２ａ、温度センサ付きの高火力コンロバーナ３２ｂ、温度センサ付き小火力コンロバーナ３２ｃと、魚などを調理する際に用いられるグリル３３とを備えたビルトインタイプのグリル付きコンロである。
【００２４】
ケース本体１０１の前面の左側上部および右側上部には、それぞれ上記複数のコンロバーナ３２ａ、３２ｂ、３２ｃの点火、消火、火力調節の操作を行うための加熱状態調節部３５ａ、３５ｂ、３５ｃが設けられている。
【００２５】
詳しくは、ケース本体１０１の前面の左側上部には、標準火力コンロバーナ３２ａの点火、消火、火力調節の操作を行うための加熱状態調節部３５ａが配設されており、また、右側上部には、高火力コンロバーナ３２ｂの点火、消火、火力調節の操作を行うための加熱状態調節部３５ｂと、小火力コンロバーナ３２ｃの点火、消火、火力調節の操作を行うための加熱状態調節部３５ｃとが配設されている。
【００２６】
コンロバーナ３２ａ、３２ｂ、３２ｃそれぞれに対して、加熱調理器用の温度検出装置５０（５０ａ、５０ｂ、５０ｃ）（以下、単に温度検出装置と記載する場合がある）が設けられている。コンロバーナ３２ａ、３２ｂ、３２ｃにそれぞれ設けられる３台の温度検出装置５０は、それぞれ、同様に、五徳４０上に載置された被加熱物（例えば鍋などの調理容器）（図示せず）の温度を検出する被加熱物温度検出機能、および、五徳４０上に被加熱物が載置されているか否かを検知する被加熱物検知機能を備えている。
【００２７】
そして、小火力コンロバーナ３２ｃが備える温度検出装置５０（５０ｃ）については、排気口９１に接続されているグリル排気筒（図示せず）の上方に配置する必要がある関係上、上下方向における設置スペースが狭いので、本願発明にかかる温度検出装置が用いられている。
【００２８】
なお、標準火力コンロバーナ３２ａ、高火力コンロバーナ３２ｂの温度検出装置５０（５０ａ、５０ｂ）についても、本願発明にかかる温度検出装置を用いることが可能であることはいうまでもない。
【００２９】
次に、図２〜図５を参照しつつ、本願発明の実施形態にかかる加熱調理器用の温度検出装置５０の特徴的構成について説明する。
【００３０】
この実施形態にかかる加熱調理器用の温度検出装置５０（５０ｃ）は、以下に説明するように、
（ａ）略Ｌ字形状を有する筒状支持体５１と、
（ｂ）筒状支持体５１の一方辺部５１ａの上端部に支持された昇降体５５と、
（ｃ）被加熱物（例えば鍋などの調理容器）の底部の温度を検出する検出部（温度検出部）６０と、検出部６０の検出情報を制御部（図示せず）に伝えるリード線６１とを備えた温度検出機構６２と、
（ｄ）他方辺部５１ｂの外周部に配設されたリードスイッチ６５と、他方辺部５１ｂを介して、リードスイッチ６５と対向するように他方辺部５１ｂの外周部に配設された磁石６６と、リードスイッチ６５を第１状態と第２状態とに切り換える操作部６７とを備えた被加熱物検知機構６８と、
（ｅ）一端が昇降体５５に接続され、他端が筒状支持体５１の他方辺部５１ｂ内に延びる態様で筒状支持体５１内に配設され、昇降体５５の昇降に伴って筒状支持体５１内を移動する伝達部材７５と、を備えている。
【００３１】
また、磁石６６からの磁界がリードスイッチ６５に印加されないように磁界を遮蔽する磁気遮蔽体８０が伝達部材７５の所定の位置に配設され、上述の操作部６７として機能するように構成されている。
【００３２】
そして、本実施形態にかかる温度検出装置５０において、この磁気遮蔽体８０が、伝達部材７５に磁性体（本実施形態では、磁気鋼線）を巻回することにより形成されたコイルスプリングにより構成されており、磁気遮蔽体８０は筒状支持体５１の内部に位置するように構成されている。なお、このコイルスプリング（磁気遮蔽体）８０は、可撓性を備えており、容易に弾性変形するように構成されている。
【００３３】
以下に、本実施形態の加熱調理器用の温度検出装置５０（５０ｃ）についてさらに詳しく説明する。
【００３４】
本実施形態の温度検出装置５０が備える上述の筒状支持体５１は、図２および図３に示すように、略Ｌ字形状を有する中空筒状の部材であり、略垂直方向に延びる一方辺部５１ａと、一方辺部５１ａから続いて略水平方向に延びる他方辺部５１ｂとを備えており、一方辺部５１ａと他方辺部５１ｂとの境界領域が屈曲部５１ｃとなるように構成されている。
【００３５】
また、略Ｌ字形状の筒状支持体５１の一方辺部５１ａは、図示しない固定手段によってグリル付きコンロ１００のケース本体１０１内に固定されている。ただし、他方辺部５１ｂが固定手段によってケース本体１０１内に固定されるように構成してもよい。
【００３６】
また、筒状支持体５１の一方辺部５１ａの上端部に支持された昇降体５５は、  加熱調理器（グリル付きコンロ）１００の載置部に載置される被加熱物（例えば鍋などの調理容器）（図示せず）の底部が当接し、被加熱物の上下動に伴って昇降するように構成されており、上方に向かって復帰付勢された状態で、筒状支持体５１の一方辺部５１ａの上端部に支持されている。
【００３７】
また、温度検出機構６２を構成する検出部６０は、被加熱物の底部に当接する集熱体６０ａとサーミスタ６０ｂとを備えている。また、温度検出機構６２は、検出部６０の検出情報を制御部（図示せず）に伝えるリード線６１を備えており、リード線６１はサーミスタ６０ｂに接続されている（図２参照）。
【００３８】
なお、サーミスタ６０ｂは、フランジ部を備えた保持部６０ｃに保持されており、上端部が、集熱体６０ａと当接している。
そして、この実施形態では、集熱体６０ａは、その周縁部をカシメ加工して昇降体本体５５ａに係合させることにより、昇降体５５に取り付けられている。
ただし、集熱体６０ａの取り付け態様や取り付け構造などに特別の制約はなく、他の取り付け態様や取り付け構造などを採用することが可能である。
【００３９】
また、リード線６１は、ガラス編組チューブ７５内に挿通され、ガラス編組チューブ７５によって保護されている（図２参照）。
【００４０】
そして、本実施形態では、ガラス編組チューブ７５が、リード線６１を保護する保護部材として機能するとともに、伝達部材として機能するように構成されている。
【００４１】
ガラス編組チューブ（伝達部材）７５の一端は昇降体５５（具体的には、上端がフランジ状に形成されている、サーミスタ６０ｂを保持する保持部６０ｃの下端側）に接続されているとともに、他端が筒状支持体５１の他方辺部５１ｂ内に延びる態様で筒状支持体５１内に配設されており、ガラス編組チューブ（伝達部材）７５は、昇降体５５の昇降に伴ってＬ字形状を有する筒状支持体５１の内部、詳しくは、他方辺部５１ｂの内部を軸方向に沿って移動するように構成されている。
【００４２】
つまり、昇降体５５の昇降に伴って、ガラス編組チューブ７５が、筒状支持体５１の内部を、筒状支持体５１の軸方向に沿って移動することにより、被加熱物が五徳４０に載置され、または、五徳４０上から取り除かれることによって生じる昇降体５５の上下動が、被加熱物検知機構６８（の操作部６７）に伝達されるように構成されている。
【００４３】
なお、ガラス編組チューブ７５は、被加熱物が載置部（五徳４０）に載置され、あるいは、載置部（五徳４０）から取り除かれることによって昇降する昇降体５５の昇降動作に対応して略Ｌ字状の筒状支持体５１内を、その軸方向に沿って円滑に移動することが可能な可撓性（変形性）を備えているとともに、昇降体５５の昇降距離に対応した距離だけ筒状支持体５１内を移動することが可能な剛性を備えた構成とされており、リードスイッチ６５と操作部（磁気遮蔽体）８０との位置関係（筒状支持体５１の軸心に沿う方向における相対位置関係）を、的確に近接状態と離間状態とに変化させ、リードスイッチ６５を第１状態と第２状態とに確実に切り換えることができるように構成されている。
【００４４】
すなわち、ガラス編組チューブ７５は、適度な可撓性を備えており、筒状支持体５１内を、その軸方向に沿って円滑に移動して、昇降体５５の昇降を適切に被加熱物検知機構６８に伝えることができるので、上記特許文献１の場合のように、伝達部材として、別途索状体（ピアノ線）を必要とすることなく、昇降体５５の昇降に応じて、リードスイッチ６５と操作部（磁気遮蔽体）８０との位置関係を的確に近接状態と離間状態とに変化させ、リードスイッチ６５を第１状態と第２状態とに確実に切り換えることができる。
【００４５】
また、被加熱物検知機構６８は、上述のように、他方辺部５１ｂの外周部に配設されたリードスイッチ６５と、他方辺部５１ｂを介してリードスイッチ６５に対向するように他方辺部５１ｂの外周部に配設された磁石６６と、筒状支持体５１の内部に配設され、リードスイッチ６５を第１状態と第２状態とに切り換える操作部６７とを備え、かつ、伝達部材７５の所定の位置に配設された、磁石６６からリードスイッチ６５に印加される磁界を遮蔽する磁気遮蔽体（コイルスプリング）８０が、上述の操作部６７として機能するように構成されている。
【００４６】
そして、リードスイッチ６５が、上述のようにしてＯＮ（第１状態）とＯＦＦ（第２状態）とに切り換えられることにより、被加熱物の載置の有無を検知することができるように構成されている。
【００４７】
また、サーミスタ６０ｂに接続されたリード線６１は、筒状支持体５１内に配置され、筒状支持体５１における他方辺部５１ｂから外に延びて、制御部（図示せず）に接続されており、検出部６０を構成する集熱体６０ａを介して、サーミスタ６０ｂにより検出される被加熱物（例えば鍋などの調理容器）の底部の温度情報が、筒状支持体５１の外部の制御部（図示せず）に伝達されるように構成されている。
【００４８】
なお、本実施形態では、上述のように、適度な可撓性を有するガラス編組チューブが伝達部材７５として機能するように構成されており、サーミスタ６０ｂに接続されたリード線６１と比べてガラス編組チューブ（伝達部材）７５は撓みにくいため、昇降体５５の昇降に精度よく対応してガラス編組チューブ７５およびガラス編組チューブ７５に配設（固定）された磁気遮蔽体（コイルスプリング）８０が適切に他方辺部５１ｂ内を移動する。その結果、リードスイッチ６５の第１状態と第２状態とが確実に切り換えられ、五徳４０上への被加熱物の載置および非載置が適切に検出される。
【００４９】
また、本実施形態では、上述のように、磁気鋼線からなるコイルスプリング（磁気遮蔽体）８０が、ガラス編組チューブ（伝達部材）７５の、筒状支持体５１の他方辺部５１ｂ内に位置する部分に設けられ、昇降体５５の上下動に対応して、他方辺部５１ｂ内の、リードスイッチ６５と磁石６６とに挟まれた領域に近接し、あるいは、リードスイッチ６５と磁石６６とに挟まれた領域から離間することにより、リードスイッチ６５を第１状態と第２状態とに切り換える本発明における操作部として機能するように構成されている（図２、図３）。
【００５０】
また、コイルスプリング（磁気遮蔽体）８０は、図４に示すように、その一端側にカシメ用縮径部８０ａを一体に備えている。そして、このカシメ用縮径部８０ａ内にガラス編組チューブ（伝達部材）７５を挿通した後、カシメ用縮径部８０ａをカシメ加工して塑性変形させることにより、カシメ用縮径部８０ａがガラス編組チューブ（伝達部材）７５の他方辺部５１ｂ内の所定の位置に固定されるとともに、コイルスプリング（磁気遮蔽体）８０も、ガラス編組チューブ（伝達部材）７５の他方辺部５１ｂ内の所定の位置に固定されている。
【００５１】
次に、被加熱物検知機構６８の動作について説明を加える。図２に示すように、五徳４０上に被加熱物（例えば鍋などの調理容器）が載置されていない状態では、ガラス編組チューブ（伝達部材）７５に磁性体（本実施形態では、磁気鋼線）を巻回することにより形成された操作部であるコイルスプリング（磁気遮蔽体）８０が、リードスイッチ６５と磁石６６との間に位置することによって、磁石６６からリードスイッチ６５に印加される磁界を遮蔽するため、リードスイッチ６５がＯＦＦした第２状態となる。
【００５２】
これに対し、五徳４０上に被加熱物が載置された状態では、図３に示すように、コイルスプリング（磁気遮蔽体）８０が、他方辺部５１ｂの端部側（右側）に移動し、コイルスプリング（磁気遮蔽体）８０が、リードスイッチ６５と磁石６６との間に位置しなくなると、磁石６６からリードスイッチ６５に印加される磁界がコイルスプリング（磁気遮蔽体）８０によって遮蔽されなくなるため、磁石６６の磁界がリードスイッチ６５に印加されて、リードスイッチ６５がＯＮした第１状態となる。
【００５３】
なお、本実施形態のグリル付きガスコンロに用いられている、本発明にかかる温度検出装置５０は、上述のように、磁気遮蔽体８０として、ガラス編組チューブ（伝達部材）７５に磁性体を巻回することにより形成されたコイルスプリングが用いられており、コイルスプリングは可撓性を有し、容易に弾性変形させることができる。
【００５４】
したがって、図２に示すように、Ｌ字形状を有する筒状支持体５１内に、リード線６１、ガラス編組チューブ（伝達部材）７５、および磁気遮蔽体８０の各部材（挿通部材）が挿通された構造を有する温度検出装置５０において、筒状支持体５１の一方辺部５１ａや、他方辺部５１ｂが多少湾曲している場合であっても、ガラス編組チューブ（伝達部材）７５、および、ガラス編組チューブ（伝達部材）７５の所定の位置に固定されたコイルスプリング（磁気遮蔽体）８０の各部材（挿通部材）が、筒状支持体５１の軸方向に沿って、一方辺部５１ａや他方辺部５１ｂの内側を円滑に移動することが可能になり、好ましい。
【００５５】
なお、本実施形態では、図４に示すように、磁気遮蔽体（コイルスプリング）８０の主要部が、コイルスプリングを構成する磁性体（すなわち、互いに隣り合う磁性体（本実施形態では磁気鋼線））どうしが互いに密着した構造を有する密着コイルスプリングにより構成されている。
【００５６】
このように磁気遮蔽体（コイルスプリング）８０の主要部を、密着コイルスプリングにより構成することで、磁気遮蔽体（コイルスプリング）８０の主要部において磁性体（磁気鋼線）が密着するため、五徳４０に被加熱物が載置されていないとき、磁気を一層適切に遮蔽することができることになり、五徳４０上への被加熱物の非載置をより確実に検知することが可能になる。
【００５７】
ただし、本発明においては、互いに隣り合う磁性体が密着していないコイルスプリングを磁気遮蔽体として用いることも可能である。その場合には、密着コイルスプリングを用いる場合よりも磁気遮蔽能力がいくらか低下するが、そのことを見込んで特性を選定したリードスイッチを用いることにより、上記実施形態の場合に準ずる効果を奏する温度検出装置を構成することが可能である。
【００５８】
そして、本実施形態にかかる加熱調理器用の温度検出装置５０においては、筒状支持体５１の屈曲部５１ｃにおける、伝達部材７５（ガラス編組チューブ）の一端５１ａ（一方辺部）から他端５１ｂ（他方辺部）に至る、伝達部材（ガラス編組チューブ）７５の配設方向に直交する方向の断面形状が扁平形状となるように構成されている（図２、図３、図５参照）。
【００５９】
図２、図３、図５を参照してさらに説明すると、筒状支持体５１の屈曲部５１ｃの、伝達部材（ガラス編組チューブ）７５の配設方向に直交する方向の断面形状が、屈曲部５１ｃの曲率半径方向（図２、図３における線分（矢印）Ｒｃ１の方向）に沿う方向の内径Ｒ１が、曲率半径方向（Ｒｃ１方向）に直交する方向（図５における線分Ｒｃ２で示す方向（Ｒｃ２方向））の内径Ｒ２よりも小さい扁平形状とされている。
【００６０】
なお、図２、図３においては、屈曲部５１ｃが扁平形状とされた、本発明の要件を備えた状態の筒状支持体５１を示しているが、屈曲部５１ｃが扁平形状とされていない場合の屈曲部５１ｃを一点鎖線で示している。
【００６１】
本実施形態では、筒状支持体５１の屈曲部５１ｃにおける、伝達部材（ガラス編組チューブ）７５の配設方向に直交する断面の形状が、扁平形状となるように構成されているので、扁平形状とされていない場合に比べて伝達部材（ガラス編組チューブ）７５がその配設方向に直交する方向に撓む（変形する）ことが抑制される。
【００６２】
本実施形態のように、筒状支持体５１の屈曲部５１ｃを扁平形状とすることにより、伝達部材（ガラス編組チューブ）７５がその配設方向に直交する方向に撓む（変形する）ことが抑制される点について、図５および図６を参照しつつさらに詳しく説明する。
【００６３】
図５に示すように、本発明の実施形態にかかる温度検出装置５０においては、筒状支持体５１の屈曲部５１ｃの、曲率半径方向（線分Ｒｃ１の方向）に沿う方向の内径Ｒ１が、曲率半径方向（Ｒｃ１方向）に直交する方向（Ｒｃ２の方向）の内径Ｒ２よりも小さい扁平形状とされているので、例えば、（ａ）伝達部材（ガラス編組チューブ）７５が筒状支持体５１の扁平形状に構成された屈曲部５１ｃの断面の中央に位置する状態（図５において点線で示す位置にある状態）から、筒状支持体５１の屈曲部５１ｃの内周面に当接する位置まで撓んだ場合のたわみ量Ｄ１と、（ｂ）図６に示すように、筒状支持体５１の屈曲部５１ｃの断面が扁平形状とされておらず、円形状（内径Ｒ）である場合において、伝達部材（ガラス編組チューブ）７５が筒状支持体５１の屈曲部５１ｃの断面の中央に位置する状態（図６において点線で示す位置にある状態）から、筒状支持体５１の屈曲部５１ｃの内周面に当接する位置まで撓んだ場合の撓み量Ｄ２とを比較すると、筒状支持体５１の屈曲部５１ｃを扁平形状とした本発明の実施形態にかかる加熱調理器用の温度検出装置５０の場合（図５）の方が、屈曲部５１ｃが円形状である場合（図６）に比べて、撓み量が小さくなることがわかる。
【００６４】
したがって、本発明によれば、特許文献１の場合のように、索状体（ピアノ線）を別途配設することを必要とせずに、載置部への被加熱物の載置の有無を的確に検知することが可能で、製造コストの低減を図ることが可能な、加熱調理器用の温度検出装置を実現できることがわかる。
【００６５】
なお、伝達部材として用いられているガラス編組チューブ７５は、可撓性を有するが、しかるべき撓みにくさも備えているため、その点でも、ガラス編組チューブ７５を用いることは、索状体（ピアノ線）を別途配設することを必要とせずに、載置部への被加熱物の載置の有無の検出信頼性を向上させるために有意義である。
【００６６】
以下、さらに、本実施形態にかかる加熱調理器用の温度検出装置５０の特徴的な構成について、図７〜図１０を参照しつつ説明する。
【００６７】
図１０は、本実施形態にかかる加熱調理器用の温度検出装置５０が備える被加熱物検知機構６８に用いられている一般的なリードスイッチの構成を示す図である。
【００６８】
このリードスイッチ６５は、ガラス管２０内に２本の強磁性体リード、すなわち、一方側強磁性体リード２１と他方側強磁性体リード２２とが収容され、一方側強磁性体リード２１の一方端部２１ａと、他方側強磁性体リード２２の一方端部２２ａがガラス管２０内において互いに対向するように位置し、一方側強磁性体リード２１と他方側強磁性体リード２２のそれぞれの他方端部２１ｂ、２２ｂが、ガラス管２０の両側の端部（一方端部２０ａ、他方端部２０ｂ）のうちの互いに異なる側の端部から、ガラス管２０の外側に引き出された構造を有している。なお、一方側強磁性体リード２１の一方端部２１ａには接点部材２５が配設され、他方側強磁性体リード２２の一方端部２２ａには接点部材２６が配設されている。
【００６９】
そして、図７に示すように、ガラス管２０の一方端部２０ａ側から引き出された一方側強磁性体リード２１には、この一方側強磁性体リード２１の引出し方向に延びる一方側延長用リード線２３が接続され、ガラス管２０の他方端部２０ｂから引き出された他方側強磁性体リード２２には、この他方側強磁性体リード２２の引出し方向とは逆の一方側強磁性体リード２１の引出し方向に延びる他方側延長用リード線２４が接続されている。
【００７０】
また、本実施形態では、ガラス管２０の外径が、他方側延長用リード線２４の外径より大きい値となるように構成されている。
【００７１】
さらに、本実施形態にかかる加熱調理器用の温度検出装置５０が備える被加熱物検知機構６８は、リードスイッチ６５を収容する収容容器４１を備えている（図２、図３、図７参照）。
【００７２】
一方側延長用リード線２３は収容容器４１の一端４３側から外部に引き出されており、他方側延長用リード線２４がガラス管２０に沿って配設され、一方側延長用リード線２３とともに、収容容器４１の一端４３側から外部に引き出されている（図２、図３、図７参照。）。
【００７３】
そして、収容容器４１には、
（ａ）ガラス管２０の内部に一方側強磁性体リード２１および他方側強磁性体リード２２を配設したリードスイッチ本体Ａを収容することは可能であるが、ガラス管２０に沿って配設された他方側延長用リード線２４をリードスイッチ本体Ａとともに収容することは不可能なリードスイッチ本体収容部４６と、
（ｂ）ガラス管２０に沿って配設された他方側延長用リード線２４を収容することは可能であるが、リードスイッチ本体Ａを他方側延長用リード線２４とともに収容することは不可能な他方側延長用リード線収容部４７とが併設されている（図７、図８）。
【００７４】
なお、リードスイッチ本体収容部４６と他方側延長用リード線収容部４７とは連通して一体の空間とされている。
【００７５】
収容容器４１についてさらに説明すると、図８に示すように、リードスイッチ本体収容部４６の内径４６Ｘは、ガラス管２０の外径よりも少し大きい値となるように構成されており、他方側延長用リード線収容部４７の内径４７Ｘは、他方側延長用リード線２４の外径よりも少し大きい値となるように構成されている。すなわち、リードスイッチ本体収容部４６の内径４６Ｘは、他方側延長用リード線収容部４７の内径４７Ｘよりも大きい値となるように構成されている。
【００７６】
そして、リードスイッチ本体収容部４６と他方側延長用リード線収容部４７との境界部Ｘの寸法は、ガラス管２０の外径より小さい寸法とされている。
【００７７】
本実施形態では、上述のように構成されているので、
（ａ）リードスイッチ本体収容部４６には、ガラス管２０の寸法によりその寸法が規定されるリードスイッチ本体Ａを収容することはできるが、ガラス管２０に沿って配設された他方側延長用リード線２４をリードスイッチ本体Ａとともに収容することはできず、
（ｂ）他方側延長用リード線収容部４７には、ガラス管２０に沿って配設された他方側延長用リード線２４を収容することはできるが、リードスイッチ本体Ａを他方側延長用リード線２４とともに収容することはできない（図７、図８参照）。
【００７８】
なお、本実施形態では、ガラス管２０の外径が、他方側延長用リード線２４の外径より大きいので、リードスイッチ本体Ａ（ガラス管）は、単独でも他方側延長用リード線収容部４７に収容されてしまうことはない。
【００７９】
本実施形態にかかる加熱調理器用の温度検出装置５０においては、被加熱物検知機構６８が上述のように構成されているので、磁石６６とリードスイッチ６５との位置関係（距離）にバラツキが生じることを抑制、防止して、五徳４０上への調理容器の載置および非載置を精度よく検出することが可能な、加熱調理器用の温度検出装置を実現することができる。
【００８０】
なお、本実施形態では、ガラス管２０の外径が、他方側延長用リード線２４の外径より大きくなるようにするとともに、リードスイッチ本体収容部４６の内径４６Ｘを、他方側延長用リード線収容部４７の内径４７Ｘよりも大きくするようにして、磁石６６とリードスイッチ６５との位置関係（距離）にバラツキが生じることを抑制、防止するようにしているが、上述の構成とは異なり、例えば、ガラス管２０と他方側延長用リード線２４の外径に依存するのではなく、ガラス管２０や他方側延長用リード線２４の外周部の所定位置に突起を設けるなどの方法で、ガラス管２０（リードスイッチ本体Ａ）が、他方側延長用リード線収容部４７に収容されたり、他方側延長用リード線２４がリードスイッチ本体収容部４６に収容されたりしてしまうことがないようにして、上述の実施形態の場合と同様の効果を得るようにすることも可能である。
【００８１】
さらに、本実施形態にかかる加熱調理器用の温度検出装置５０が備える被加熱物検知機構６８は、リードスイッチ６５を収容する収容容器４１を備えている（図２、図３、図７参照）。
【００８２】
一方側延長用リード線２３は収容容器４１の一端４３側から外部に引き出されており、他方側延長用リード線２４がガラス管２０に沿って配設され、一方側延長用リード線２３とともに、収容容器４１の一端４３側から外部に引き出されている（図２、図３、図７参照。）。
【００８３】
なお、本実施形態では、収容容器４１の一端４３側に、リードスイッチ本体収容部４６および他方側延長用リード線収容部４７の開口部である開放口４２を備えており、開放口４２の一部がガラス管２０の挿入口となり、開放口４２の他の一部が他方側延長用リード線２４の挿入口となる。
【００８４】
また、収容容器４１のリードスイッチ本体収容部４６と他方側延長用リード線収容部４７からなる空間の奥側には、開放口４２から挿入されたガラス管２０の挿入深さを規制する規制壁４８を備えている（図８、図９参照）。
【００８５】
このように規制壁４８を備えた構成とした場合、収容容器４１におけるガラス管２０の挿入深さを確実に規制することができるので、磁石６６とリードスイッチ６５を構成するガラス管２０との位置関係（距離）にばらつきが生じることを抑制して、磁石６６とガラス管２０との位置関係（距離）を精度よく維持することが可能になり、五徳４０上への調理容器の載置および非載置を一層精度よく検出することが可能な、加熱調理器用の温度検出装置を提供することができる。
【００８６】
また、本実施形態では、規制壁４８が、他方側延長用リード線２４を通過させることが可能な、リード線通過孔４８ａを備えている（図８、図９参照）。
【００８７】
このように規制壁４８に、他方側延長用リード線２４を通過させることが可能なリード線通過孔４８ａを形成するようにした場合、規制壁４８とガラス管２０との間に他方側延長用リード線２４が挟み込まれることを抑制して、五徳４０上への調理容器の載置および非載置をさらに確実に、精度よく検出することが可能になる。
【００８８】
また、本実施形態においては、収容容器４１の所定の面が、筒状支持体５１における他方辺部５１ｂの外周面に沿う形態の取り付け面４９とされている（図７、図８参照）。すなわち、取り付け面４９は、他方辺部５１ｂの外周面に密着して、収容容器４１が他方辺部５１ｂの所定の位置に確実に取り付けられるように構成されている。
【００８９】
このように収容容器４１の所定の面を、筒状支持体５１への取り付け面４９として構成するようにした場合、収容容器４１と筒状支持体５１の他方辺部５１ｂとの位置関係が安定するので、五徳４０上への調理容器の載置および非載置の検出を一層適正に行うことが可能になる。
【００９０】
なお、上記実施形態では、筒状支持体５１が略Ｌ字形状に構成されている場合を例にとって説明したが、筒状支持体５１の具体的な形状に特別の制約はなく、他の形状とすることも可能であり、例えば、他方辺部５１ｂが一方辺部５１ａから真っ直ぐに延びた略直管形状とすることも可能である。
【００９１】
本発明は、上記実施形態に限定されるものではなく、本発明の範囲内において種々の変形を加えることが可能である。
【符号の説明】
【００９２】
２０        ガラス管
２０ａ      ガラス管の一方端部
２０ｂ      ガラス管の他方端部
２１        一方側強磁性体リード
２１ａ      一方側強磁性体リードの一方端部
２１ｂ      一方側強磁性体リードの他方端部
２２        他方側強磁性体リード
２２ａ      他方側強磁性体リードの一方端部
２２ｂ      他方側強磁性体リードの他方端部
２３        一方側延長用リード線
２４        他方側延長用リード線
２５        一方側強磁性体リードの接点部材
２６        他方側強磁性体リードの接点部材
３２ａ      標準火力コンロバーナ
３２ｂ      高火力コンロバーナ
３２ｃ      小火力コンロバーナ
３３        グリル
３５ａ      標準火力コンロバーナの加熱状態調節部
３５ｂ      高火力コンロバーナの加熱状態調節部
３５ｃ      小火力コンロバーナの加熱状態調節部
４０        五徳
４１        収容容器
４２        収容容器の一端側の開放口
４３        収容容器の一端
４６        リードスイッチ本体収容部
４７        他方側延長用リード線収容部
４８        規制壁
４８ａ      リード線通過孔
４９        取り付け面
５０（５０ａ、５０ｂ、５０ｃ）  加熱調理器用の温度検出装置
５１        筒状支持体
５１ａ      筒状支持体の一方辺部
５１ｂ      筒状支持体の他方辺部
５１ｃ      筒状支持体の屈曲部
５５        昇降体
５５ａ      昇降体本体
６０        検出部（温度検出部）
６０ａ      集熱体
６０ｂ      サーミスタ
６０ｃ      フランジ部を備えた保持部
６１        リード線
６２        温度検出機構
６５        リードスイッチ
６６        磁石
６７        操作部
６８        被加熱物検知機構
７５        伝達部材（ガラス編組チューブ）
８０        磁気遮蔽体
８０ａ      カシメ用縮径部
８１        一対の圧着固定部材
８２ａ      細長帯状の連設接続部
８２ｂ      連設圧着固定部
８２ｃ      間隙
９１        排気口
１００      グリル付きコンロ（加熱調理器）
１０１      ケース本体（コンロ本体）
Ａ          リードスイッチ本体
Ｒｃ１      曲率半径方向を示す線分（矢印）
Ｒｃ２      曲率半径方向に直交する方向を示す線分（矢印）
Ｒ１        曲率半径方向に沿う方向の内径
【図１】
2019211110.tif 000003
【図２】
2019211110.tif 000004
【図３】
2019211110.tif 000005
【図４】
2019211110.tif 000006
【図５】
2019211110.tif 000007
【図６】
2019211110.tif 000008
【図７】
2019211110.tif 000009
【図８】
2019211110.tif 000010
【図９】
2019211110.tif 000011
【図１０】
2019211110.tif 000012